(57)【要約】【課題】安定性に優れる間仕切装置を提供する。【解決手段】パネルと、長手方向の一端から他端にかけて溝を備え、前記溝が前記パネルの側辺部に嵌合するよう前記パネルに取り付けられる複数の管と、貫通孔を備え、前記貫通孔が前記管の端部に嵌合するよう前記管に取り付けられる複数の支持体と、を備える間仕切装置。【選択図】図２
2018059382.tif 000002
【特許請求の範囲】
【請求項１】
パネルと、
長手方向の一端から他端にかけて溝を備え、前記溝が前記パネルの側辺部に嵌合するよう前記パネルに取り付けられる複数の管と、
貫通孔を備え、前記貫通孔が前記管の端部に嵌合するよう前記管に取り付けられる複数の支持体と、を備える間仕切装置。
【請求項２】
前記複数の管には、
前記溝が前記パネルの右側辺部に嵌合する複数の第１主管と、
前記溝が前記パネルの左側辺部に嵌合する複数の第２主管と、が含まれる請求項１に記載の間仕切装置。
【請求項３】
前記複数の管には、
前記第１主管間の境界を覆う少なくとも１本の第１補助管と、
前記第２主管間の境界を覆う少なくとも１本の第２補助管と、が含まれる請求項２に記載の間仕切装置。
【請求項４】
前記溝の両端部の一方または双方に導入部を有し、
前記導入部は前記溝の溝幅を拡大させる形状を有する、
請求項１から３のいずれか１項に記載の間仕切装置。
【請求項５】
前記貫通孔に嵌合する管の端部に終端部材が挿嵌されている請求項１から４のいずれか１項に記載の間仕切装置。
【請求項６】
前記支持体は紙管からなり、
前記貫通孔には前記紙管の上側の表面に形成された貫通孔と下側の表面に形成された貫通孔とが含まれ、
前記管は前記上側に形成された貫通孔と前記下側に形成された貫通孔とに嵌合する請求項１から５のいずれか１項に記載の間仕切装置。
【発明の詳細な説明】
【技術分野】
【０００１】
本発明は間仕切装置に関する。
【背景技術】
【０００２】
従来、溝が形成された紙管を支柱として用いる家具用紙パネルの組立方法が提案された（特許文献１参照）。
【先行技術文献】
【特許文献】
【０００３】
【特許文献１】実用新案登録第３１０２６３４号公報
【発明の概要】
【発明が解決しようとする課題】
【０００４】
しかしながら、上記従来の家具用紙パネルでは、紙管の長手方向における一部にしか溝が形成されないため、溝が形成される部分とされない部分とを分ける境界が紙管の短手方向に対して平行に生じてしまい、この境界に沿って紙管が折れ曲がる虞がある。
【課題を解決するための手段】
【０００５】
上記課題は、例えば、次の手段により解決することができる。パネルと、長手方向の一端から他端にかけて溝を備え、前記溝が前記パネルの側辺部に嵌合するよう前記パネルに取り付けられる複数の管と、貫通孔を備え、前記貫通孔が前記管の端部に嵌合するよう前記管に取り付けられる複数の支持体と、を備える間仕切装置。
【発明の効果】
【０００６】
安定性に優れる間仕切装置を提供することができる。
【図面の簡単な説明】
【０００７】
【図１】実施形態１に係る間仕切装置の模式的斜視図である。
【図２】実施形態１に係る間仕切装置の模式的分解斜視図である。
【図３】図２中のＡ−Ａ断面図である。
【図４】図２中のＢ−Ｂ断面図である。
【図５】図２中のＣ−Ｃ断面図である。
【図６】実施形態２に係る間仕切装置の模式的分解斜視図である。
【図７】図６中の点線で囲んだ部分の拡大図である。
【図８】第１主管の正面図である。
【図９】第１補助管の正面図である。
【図１０】実施形態３に係る間仕切装置の模式的斜視図である。
【図１１】実施形態３に係る間仕切装置が有する支持体の模式的斜視図である。
【図１２】図１０中のＤ−Ｄ断面図である。
【発明を実施するための形態】
【０００８】
［実施形態１に係る間仕切装置］
図１は実施形態１に係る間仕切装置の模式的斜視図であり、図２は実施形態１に係る間仕切装置の模式的分解斜視図である。図３は図２中のＡ−Ａ断面図であり、図４は図２中のＢ−Ｂ断面図であり、図５は図２中のＣ−Ｃ断面図である。図１から図５に示すように、実施形態１に係る間仕切装置１は、パネル１０と、長手方向の一端から他端にかけて溝Ｘを備え、溝Ｘがパネル１０の側辺部に嵌合するようパネル１０に取り付けられる複数の管２０と、貫通孔３２を備え、貫通孔３２が管２０の端部に嵌合するよう管２０に取り付けられる複数の支持体３０と、を備える間仕切装置である。以下、詳細に説明する。
【０００９】
（パネル１０）
パネル１０には例えばプラスチックダンボール製の部材を用いることができる。パネル１０は、例えば、縦９００ｍｍ×横９１０ｍｍ×幅５ｍｍ、縦１２００ｍｍ×横９１０ｍｍ×幅５ｍｍ、縦１５００ｍｍ×横９１０ｍｍ×幅５ｍｍ、縦１８００ｍｍ×横９１０ｍｍ×幅５ｍｍ、または縦２１００ｍｍ×横９１０ｍｍ×幅５ｍｍの寸法を有する。本明細書において縦ｘｍｍ×横ｙｍｍ×幅ｚｍｍとは、上下方向の長さがｘｍｍであり、左右方向の長さがｙｍｍであり、奥行方向の長さがｚｍｍであることを示す。パネル１０は本実施形態のように無地であってもよいが文字や絵などが印刷などされていてもよい。
【００１０】
（複数の管２０）
複数の管２０は長手方向の一端から他端にかけて溝Ｘを備え、溝Ｘがパネル１０の側辺部に嵌合するようパネル１０に取り付けられる。溝Ｘは、管２０の長手方向の一端から他端に達するまで直線状に伸びる形状を有する。溝Ｘは例えば管２０を切り欠くことにより形成された切り欠き溝である。後述する溝Ｘ１や溝Ｘ２は溝Ｘの一例である。
【００１１】
パネル１０の右側辺部と左側辺部には、１本の第１主管２２及び１本の第２主管２４のみをそれぞれ取り付けることも可能である。ただし、本実施形態のように、複数の管２０には、溝Ｘ１がパネル１０の右側辺部に嵌合する複数の第１主管２２と、溝Ｘ１がパネル１０の左側辺部に嵌合する複数の第２主管２４と、が含まれることが好ましい。すなわち、パネル１０の右側辺部と左側辺部には、複数の第１主管２２及び複数の第２主管２４がそれぞれ取り付けられることが好ましい。このようにすれば、個々の第１主管２２の長さ及び個々の第２主管２４の長さをそれぞれ短くすることができる。したがって、管２０の折れ曲がりをさらに抑制して、さらに安定性に優れる間仕切装置１を提供することができる。
【００１２】
第１主管２２や第２主管２４には紙管を用いることができる。第１主管２２や第２主管２４の外径は例えば２５ｍｍであり、内径は例えば２０ｍｍである。第１主管２２や第２主管２４の長手方向の長さは例えば３００ｍｍまたは６００ｍｍである。
【００１３】
第１主管２２や第２主管２４が有する溝Ｘ１の溝幅Ｗ１は、パネル１０の幅以下の大きさであることが好ましく（すなわち、溝Ｘ１の溝幅≦パネル１０の幅であることが好ましく）、例えば３ｍｍ以上５ｍｍ以下であることが好ましい。このようにすれば、第１主管２２や第２主管２４をパネル１０に対して強固に取り付けることができる。溝幅Ｗ１は、パネル１０の右側辺部（左側辺部）の端部を第１主管２２（第２主管２４）の溝Ｘ１に差し込んだ後、第１主管２２（第２主管２４）をスライドさせることができ、且つ、パネル１０の右側辺部（左側辺部）に取り付けた第１主管２２（第２主管２４）を、パネル１０の右側（左側）に引っ張ることでパネル１０から取り外すことができる大きさを有していることが好ましい。
【００１４】
複数の管２０には、さらに、第１主管２２間の境界を覆う少なくとも１本の第１補助管２６と、第２主管２４間の境界を覆う少なくとも１本の第２補助管２８と、が含まれることが好ましい。このようにすれば、第１主管２２の間や第２主管２４の間からパネル１０が折れ曲がることを抑制することができる。３本以上の第１主管２２を用いる場合には第１主管２２間の境界が複数生じるため、これらの境界を複数の第１補助管２６でそれぞれ被覆することが好ましい。同様に、３本以上の第２主管２４を用いる場合には第２主管２４間の境界が複数生じるため、これらの境界を複数の第２補助管２８でそれぞれ被覆することが好ましい。第１補助管２６には隣接する一対の第１主管２２の全部または一部が挿入され、第２補助管２８には隣接する一対の第２主管２４の全部または一部が挿入される。隣接する一対の第１主管２２の一部とは、例えば、隣接する一対の第１主管２２のうちの上側に位置する第１主管２２の下側端部と下側に位置する第１主管２２の上側端部とをいう。同様に、隣接する一対の第２主管２４の一部とは、例えば、隣接する一対の第２主管２４のうちの上側に位置する第２主管２４の下側端部と下側に位置する第２主管２４の上側端部とをいう。
【００１５】
第１補助管２６や第２補助管２８には紙管を用いることができる。第１補助管２６や第２補助管２８の外径は例えば３０ｍｍであり、内径は例えば２５．２ｍｍ以上２５．４ｍｍ以下である。第１補助管２６や第２補助管２８の長手方向の長さは例えば２００ｍｍである。第１補助管２６や第２補助管２８が有する溝Ｘ２の溝幅Ｗ２はパネル１０の幅以下の大きさであることが好ましく（すなわち、溝Ｘ２の溝幅≦パネル１０の幅であることが好ましく）、例えば３ｍｍ以上５ｍｍ以下であることが好ましい。このようにすれば、第１補助管２６や第２補助管２８をパネル１０に対して強固に取り付けることができる。溝幅Ｗ２は、パネル１０の右側辺部（左側辺部）の端部を第１補助管２６（第２補助管２８）の溝Ｘ２に差し込んだ後、第１補助管２６（第２補助管２８）をスライドさせることができる大きさを有していることが好ましい。
【００１６】
（複数の支持体３０）
支持体３０は貫通孔３２を備えている。支持体３０は貫通孔３２が管２０（第１主管２２と第２主管２４）の端部に嵌合するよう管２０（第１主管２２と第２主管２４）に取り付けられる。本実施形態では、支持体３０により第１主管２２と第２主管２４が支持され、第１主管２２と第２主管２４によりパネル１０が支持される。支持体３０には、例えば、天然ゴム製品などの樹脂材料を用いてなる部材や紙管などを用いることができる。支持体３０の形状は例えば管状、直方体状、あるいは円柱状である。支持体３０は、その形状が直方体状である場合、例えば、縦１５ｍｍ×横５０ｍｍ×幅３００ｍｍまたは縦１５ｍｍ×横５０ｍｍ×幅４００ｍｍの寸法を有する。支持体３０は、その形状が円柱状である場合、例えば、上面及び底面の直径が７５ｍｍ以上１００ｍｍ以下であり、厚み（すなわち上下方向の長さ）が１５ｍｍの寸法を有する。貫通孔３２の内径は例えば２５ｍｍである。
【００１７】
（終端部材４０）
貫通孔３２に嵌合する管２０の端部には終端部材４０が挿嵌されていてもよい。このようにすれば、管２０の外径よりも内径がやや大きい終端部材４０を用いることにより、貫通孔３２に嵌合する管２０（第１主管２２、第２主管２４）の端部の外径を拡大することが可能となるため、支持体３０を管２０（第１主管２２、第２主管２４）に対してより強固に固定することができる。また、終端部材４０の上面より下側にパネル１０の下辺が位置することを抑制して、間仕切装置１の底部に空隙を設けることができる。この空隙に他の間仕切装置１の支持体３０が挿入されるよう複数の間仕切装置１を前後（奥行方向における手前と奥）に隣接して配置すれば、隙間を生じさせることなく複数の間仕切装置１を横方向（左右方向）に並べて配置することができる。また、この空隙に他の間仕切装置１の支持体３０が挿入されるよう複数の間仕切装置１をパネル１０とパネル１０の間の角度が９０度（ほぼ９０度である場合を含む。）になるように隣接して配置すれば、隙間を生じさせることなく複数の間仕切装置１をＬ字状に並べて配置することができる。終端部材４０は例えば円錐台状の形状を有し、コルク材料からなる。円錐台の寸法は、例えば、上面の直径が１８ｍｍで、底面の直径が２３ｍｍで、高さ（すなわち上下方向の長さ）が２８ｍｍである。
【００１８】
以上説明した間仕切装置１によれば、管２０の長手方向の一端から他端にかけて溝Ｘが形成される。したがって、溝Ｘを有する部分と有さない部分とを分ける境界が短手方向（管２０の長手方向に対して垂直な方向）に対して平行に生じることはなく、この境界に沿って管２０が折れ曲がるということが抑制される。よって、安定性に優れる間仕切装置１を提供することができる。
【００１９】
（間仕切装置１の組み立て方法）
間仕切装置１は、例えば次の方法により組み立てることができる。まず、第１主管２２の端部と第２主管２４の端部とを支持体３０の貫通孔３２にそれぞれ嵌合させた後、貫通孔３２に嵌合された状態にある第１主管２２の端部と第２主管２４の端部とに終端部材４０をそれぞれ挿嵌させる。あるいは、終端部材４０を第１主管２２の端部と第２主管２４の端部とにそれぞれ挿嵌させた後、終端部材４０が挿嵌された第１主管２２の端部と第２主管２４の端部とを支持体３０の貫通孔３２にそれぞれ嵌合させる。終端部材４０を挿嵌させる方法は特に限定されない。例えば、終端部材４０は、終端部材４０の上部を管２０（第１主管２２、第２主管２４）に差し込んだ後、管２０（第１主管２２、第２主管２４）を持ち、管２０（第１主管２２、第２主管２４）で終端部材４０の底面を床面に押し付けることにより、管２０（第１主管２２、第２主管２４）の端部に挿嵌することができる。また、終端部材４０は、終端部材４０の上部を管２０（第１主管２２、第２主管２４）に差し込んだ後、終端部材４０をハンマーなどで管２０（第１主管２２、第２主管２４）に対し叩き付けることにより、管２０（第１主管２２、第２主管２４）の端部に挿嵌することもできる。
【００２０】
次いで、パネル１０の右側辺部を第１主管２２の端部（支持体３０が取り付けられていない方の端部）から第１主管２２の溝Ｘ１に差し込み、第１主管２２の他端（支持体３０が取り付けられている方の端部）に向けてパネル１０をスライドさせる。これにより、第１主管２２の溝Ｘ１がパネル１０の右側辺部に嵌合する。また、パネル１０の左側辺部を第２主管２４の端部（支持体３０が取り付けられていない方の端部）から第２主管２４の溝Ｘ１に差し込み、第２主管２４の他端（支持体３０が取り付けられている方の端部）に向けてパネル１０をスライドさせる。これにより、第２主管２４の溝Ｘ１がパネル１０の左側辺部に嵌合する。
【００２１】
次いで、パネル１０の右側辺部の端部（支持体３０が取り付けられていない方の端部）に第１補助管２６を取り付ける。この際、パネル１０の右側辺部が第１補助管２６の溝Ｘ２に差し込まれるようにする。そして、第１主管２２同士の境界が覆われる位置に達するまで第１補助管２２をスライドさせる。これにより、第１補助管２６の溝Ｘ２がパネル１０の右側辺部に嵌合する。また、パネル１０の左側辺部の端部（支持体３０が取り付けられていない方の端部）に第２補助管２８を取り付ける。この際、パネル１０の左側辺部が第２補助管２８の溝Ｘ２に差し込まれるようにする。そして、第２主管２４同士の境界が覆われる位置に達するまで第２補助管２８をスライドさせる。これにより、第２補助管２８の溝Ｘ２がパネル１０の左側辺部に嵌合する。
【００２２】
なお、組み立て方法・態様は特に限定されるものではない。また、間仕切装置１の製造業者・販売業者などが上記した工程の一部（例えば、第１主管２２と第２主管２４の各端部に終端部材４０と支持体４０をそれぞれ取り付ける工程）を工場などで行い、ユーザが残りの工程を間仕切装置１の設置場所などで行うようにしてもよい。
【００２３】
（間仕切装置１の解体方法）
間仕切装置１は、例えば次の方法により解体することができる。まず、パネル１０を持ちながら第１補助管２６を第１主管２２の端部（支持体３０が取り付けられていない方の端部）に向けてスライドさせ、第１補助管２６をパネル１０から取り外す。次いで、パネル１０を持ちながら第２補助管２８を第２主管２４の端部（支持体３０が取り付けられていない方の端部）に向けてスライドさせ、第２補助管２８をパネル１０から取り外す。次いで、パネル１０を持ちながら第１主管２２をパネル１０の右側に向けて引っ張り、第１主管２２をパネル１０から取り外す。次いで、パネル１０を持ちながら第２主管２４をパネル１０の左側に向けて引っ張ることにより、第２主管２４をパネル１０から取り外す。第１主管２２や第２主管２４をパネル１０から取り外すにあたり、第１主管２２や第２主管２４をスライドさせる必要はない。なお、支持体３０は第１主管２２と第２主管２４から取り外してもよいが取り外さなくてもよい。また、終端部材４０は第１主管２２や第２主管２４から取り外してもよいが取り外さなくてもよい。
【００２４】
［実施形態２に係る間仕切装置２］
図６は実施形態２に係る間仕切装置の模式的分解斜視図である。図７は図６中の点線で囲んだ部分の拡大図である。図８は第１主管の正面図であり、図９は第１補助管の正面図である。第２主管２４は第１主管２２と同じ形状を有しているため、第２主管２４の正面図は省略する。また、第２補助管２８は第１補助管２６と同じ形状を有しているため、第２補助管２８の正面図は省略する。図６から図９に示すように、実施形態２に係る間仕切装置２は、溝Ｘの両端部の一方または双方に導入部Ｙを有し、導入部Ｙが溝Ｘの溝幅を拡大させる形状を有する点で、実施形態１に係る間仕切装置１と相違する。実施形態２に係る間仕切装置２によれば、パネル１０に管２０を取り付けるに際して、パネル１０の側辺部を導入部Ｙを介して溝Ｘの本体となる部分（溝幅Ｗ１、Ｗ２を有する部分）にまで誘導することができるため、パネル１０の側辺部を溝Ｘに差し込み易くなる。したがって、間仕切装置の組み立てが容易になる。
【００２５】
［実施形態３に係る間仕切装置３］
図１０は実施形態３に係る間仕切装置の模式的斜視図である。図１１は実施形態３に係る間仕切装置が有する支持体の模式的斜視図である。図１２は図１０中のＤ−Ｄ断面図である。図１０から図１２に示すように、間仕切り装置３は、直方体状の支持体３０ではなく、管状の支持体５０を備えている点で、実施形態１に係る間仕切装置１と相違する。支持体５０は例えば紙管からなり、紙管の上側の表面に形成された貫通孔５２と下側の表面に形成された貫通孔５４とを備えている。第１主管２２の端部と第２主管２４の端部は、上側に形成された貫通孔５２と下側に形成された貫通孔５４とに嵌合する。このような管状の支持体５０、特に紙管を用いてなる管状の支持体５０によれば、軽くて安い間仕切装置を提供することができる。なお、支持体５０が紙管からなる場合、紙管の内径は例えば３６ｍｍである。また、上側の貫通孔５２と下側の貫通孔の内径はともに例えば２５ｍｍである。
【００２６】
以上、実施形態について説明したが、これらの説明は一例に関するものであり、特許請求の範囲に記載された構成は、これらの説明によって何ら限定されるものではない。
【符号の説明】
【００２７】
１、２、３  間仕切装置
１０    パネル
２０    管
２２    第１主管
２４    第２主管
２６    第１補助管
２８    第２補助管
３０    支持体
３２    貫通孔
４０    終端部材
５０    支持体
５２    貫通孔
５４    貫通孔
Ｘ      溝
Ｘ１    第１主管の溝、第２主管の溝
Ｘ２    第１補助管の溝、第２補助管の溝
Ｙ      導入部
Ｗ１    第１主管の溝幅、第２主管の溝幅
Ｗ２    第１補助管の溝幅、第２補助管の溝幅
【図１】
2018059382.tif 000003
【図２】
2018059382.tif 000004
【図３】
2018059382.tif 000005
【図４】
2018059382.tif 000006
【図５】
2018059382.tif 000007
【図６】
2018059382.tif 000008
【図７】
2018059382.tif 000009
【図８】
2018059382.tif 000010
【図９】
2018059382.tif 000011
【図１０】
2018059382.tif 000012
【図１１】
2018059382.tif 000013
【図１２】
2018059382.tif 000014